(57)【要約】【課題】陳列スペースを省スペース化し、展示パッケージの作成費用や印刷費用の低減を図るとともに、利用者にとっては検索しやすいソフト展示用パッケージを提供する。【解決手段】本発明は、両側板２、前面板３及び背面板４を備え、かつソフト内容が印刷されたラベルシート１８を表面に貼付した上部開口の箱形をなすソフト展示用パッケージ１であって、該パッケージ１の内部に隔壁５により区画されるビデオカセットテープ収納部７と、ＤＶＤ収納部９を平行して設けた。【選択図】　　図４
2004001779.tif 000002
【特許請求の範囲】
【請求項１】
両側板、前面板及び背面板を備え、かつソフト内容が印刷されたラベルシートを表面に配した上部開口の箱形をなすソフト展示用パッケージであって、該パッケージの内部に隔壁により区画されるビデオカセットテープ収納部と、ＤＶＤ収納部を平行して設けたことを特徴とするレンタルビデオ店におけるソフト展示用パッケージ。
【請求項２】
前記ビデオカセットテープを高さ寸法の基準とし、ＤＶＤを奥行寸法の基準として、ビデオカセットテープ並びにＤＶＤが前記パッケージの上部に高さをそろえて露出すべく、各収納部に底板及び背面板を設けたことを特徴とする請求項１に記載のレンタルビデオ店におけるソフト展示用パッケージ。
【請求項３】
前記パッケージの背面板と一方の側板の後縁を脱着可能とするとともに、前面板の隔壁位置に設けた薄肉ヒンジを基点として他方の側板及びこれの後縁に一体化された背面板を開閉可能としたことを特徴とする請求項１または２に記載のレンタルビデオ店におけるソフト展示用パッケージ。
【請求項４】
前記両側板及び前面板の外周を包囲するとともに、両側板の後端縁に固定した可撓性を有しかつ透明なカバーシートを設け、パッケージの展開状態で、該カバーシートとパッケージ間にラベルシートを挿入可能とするとともに、箱形にとじた状態で前記カバーシートが緊張してラベルシートを挟持固定するようにしたことを特徴とする請求項３に記載のレンタルビデオ店におけるソフト展示用パッケージ。
【請求項５】
前記パッケージの上部開口を透明なカバーキャップで覆ったことを特徴とする請求項１〜４いずれかに記載のレンタルビデオ店におけるソフト展示用パッケージ。
【発明の詳細な説明】
【０００１】
【発明の属する技術分野】
本発明は、レンタルビデオ店においてレンタル用ソフトを陳列するための省スペース化を図ることができるＤＶＤ−ビデオカセットテープ一体収容型の展示用パッケージに関するものである。
【０００２】
【従来の技術】
最近ではＤＶＤ（デジタルビデオデスク）ソフト及びその再生機器の急速な普及拡大に伴い、レンタルビデオ店においても、貸出し用のビデオソフトとして、従来のビデオカセットテープのほかに、ＤＶＤソフトもレンタルするようになってきた。
【０００３】
このような状況の中で、現在のレンタルビデオ店では同一ソフトが収録されているＤＶＤとビデオカセットテープを別々のコーナに設けた陳列棚に展示しており、これに対応して利用者は、自己の所有する再生機器に応じて、同一ソフトであってもそのメディア媒体のあるコーナに行って検索を行うようにしている。
【０００４】
また、そのレンタルシステムは、例えば、次のようになっている。まず、利用者は陳列されている展示用パッケージからそのメディアのみを抜取って受付に行き、受付では契約者カードを確認の上料金を請求し、利用者は請求金額を支払って所定の期日までそのメディア媒体をレンタルする。そして、利用者が期日までに同メディア媒体を受付に返却すると、店員がこのメディア媒体を再び展示用パッケージに収納する作業を行う。したがって人気ソフトは展示用パッケージが空になっている確率が高く、これに対して、ビデオ店側ではその人気度合に応じて同一ソフトを多数仕入れて陳列しておくなどの作業も行う。
【０００５】
【発明が解決しようとする課題】
しかしながら、以上のような商品陳列方法では、同一ソフトであってもＤＶＤとビデオカセットテープのそれぞれに展示用パッケージを作成しなければならず、レンタル店にとっては、専用のパッケージ費用及びこれに張り付けられる商品のソフト内容を表示するラベルの印刷費用、棚の設置スペースの増加や展示コーナの区画割りの手間、及び輸送費などにおいて経済的負担が大きかった。
【０００６】
なお、ビデオカセットテープは、背表紙をユーザ側に向けて整列する陳列方法であっても本体の厚み寸法が厚いため、背表紙に印刷表示されているソフト内容を一瞥しただけで読み取りやすく、利用者にとっては検索しやすい。
【０００７】
これに対し、ＤＶＤソフトの場合には、展示用パッケージも薄く、背表紙を利用者側に見えるように陳列する方法では、背表紙そのものが薄く見えにくいため、目的とする商品を探しにくく、その逆にパッケージの表紙側、つまりＤＶＤの盤面側をユーザ側に向けて陳列する方法では、陳列棚のスペースを大きくとる。このような不具合を防ぐためにはＤＶＤ本体に比べて展示用パッケージの厚みを不必要に大きくしなければならず、同じく陳列スペースの増加要因となっていた。
【０００８】
さらに、ＤＶＤ、ビデオカセットテープ双方の再生装置を所有している利用者にとっては、希望するソフトのうちいずれか一方が貸出されているか、両方とも貸出されているかをそれぞれのコーナに行って探し当てなければならず、利用者側でも検索の負担が大きかった。
【０００９】
本発明は、以上の課題を解決するものであって、その目的は、陳列スペースを省スペース化し、展示パッケージの作成費用や印刷費用の低減を図るとともに、利用者にとっては検索しやすいソフト展示用パッケージを提供するものである。
【００１０】
【課題を解決するための手段】
前記目的を達成するため、本発明は、両側板、前面板及び背面板を備え、かつソフト内容が印刷されたラベルシートを表面に配した上部開口の箱形をなすソフト展示用パッケージであって、該パッケージの内部に隔壁により区画されるビデオカセットテープ収納部と、ＤＶＤ収納部を平行して設けたことを特徴とする。したがって、本発明によれば、一つの展示用パッケージで同一ソフトを内蔵したビデオカセットテープ及びＤＶＤを抱合わせ展示でき、個別のパッケージや、その印刷が不要となる上、店内を個別のコーナに仕切ることがないため、売場面積の増加がない。また、ＤＶＤの収納厚み分だけ、ラベルシートの背表紙の厚みが増すため、利用者にとってはさらに視認性が増し、目立つものとなる。
【００１１】
また、本発明では、前記ビデオカセットテープを高さ寸法の基準とし、ＤＶＤを奥行寸法の基準として、ビデオカセットテープ並びにＤＶＤが前記パッケージの上部に高さをそろえて露出すべく、各収納部に底板及び背面板を設けたことにより、パッケージに格納されているビデオカセットテープまたはＤＶＤの有無を利用者が確認しやすく、出し入れも便利となる。
【００１２】
さらに、前記パッケージの背面板と一方の側板の後縁を脱着可能とするとともに、前面板の隔壁位置に設けた薄肉ヒンジを基点として他方の側板及びこれの後縁に一体化された背面板を開閉可能としたことにより、搬送時などの減容化に好適である。
【００１３】
さらにまた、本発明では、前記両側板及び前面板の外周を包囲するとともに、両側板の後端縁に固定した可撓性を有しかつ透明なカバーシートを設け、パッケージの展開状態で、該カバーシートとパッケージ間にラベルシートを挿入可能とするとともに、箱形にとじた状態で前記カバーシートが緊張してラベルシートを挟持固定するようにしたことにより、ソフト入替えに伴うラベルシート交換を簡単にできる。
【００１４】
またさらに、本発明では、前記パッケージの上部開口を透明なカバーキャップで覆ったことにより、ビデオカセットテープやＤＶＤに対する埃の侵入を未然に防止できる。
【００１５】
【発明の実施の形態】
図１、２は本発明に係るソフト展示用パッケージを示す。図においてパッケージ１は、全体が合成樹脂成形体からなるもので、上部開口した縦長箱状容器であって、両側板２、前面板３、背面板４によりその箱形外形を構成するとともに、中央部に一体に立設された隔壁５によりＶＨＳビデオカセットテープ６（以下、ＶＨＳと略記する）の収納部７と、ＤＶＤ８の収納部９とに区画し、ＶＨＳ６及びＤＶＤ８の頂部をそろえて露出させた状態で平列状態に格納できるようにしている。このパッケージ１は、高さをＶＨＳ６を基準とし、奥行をＤＶＤ８を基準とした寸法に形成されたものである。
【００１６】
そして、ＶＨＳ収納部７は、一方の側板２の内側と隔壁５の下面に一体化された底板１０と、ＶＨＳ６の奥行寸法に対応させた位置に一体に立設されたＶＨＳ背面板１１により囲われており、これによって、ＶＨＳ６の厚み及び奥行寸法に対応させている。また、出し入れがスムーズで、収納時にはガタつくことなく収納できるような隙間寸法に設定されている。
【００１７】
他方、ＤＶＤ収納部９は、前面板３における隔壁５との境界位置に形成された薄肉ヒンジ１２を基点として開閉可能であって、他方の側板２及びこれに連続する背面板４の内側に高さをそろえて展示するための棚状底板１５を一体化したものであり、開いた状態（図２参照）から薄肉ヒンジ１２を介して閉じることで、背面板４を一方の側板２の後端縁に突き当てて底板１５が隔壁５に接して縦長箱状となり、ＤＶＤ８の厚み寸法と奥行寸法に対応させている。これも前記と同様出し入れがスムーズにでき、収納時にはがたつくことなく収納できる隙間寸法に設定されている。
【００１８】
なお、本実施形態では、背面板４と、一方の側板２の後端縁との連結は、背面板４の端縁上下に突出させた一対のダボ４ａと、これと対応して側板２の後縁上下に開口されたダボ孔２ａの嵌合によっているが、その他の適宜なロック機構によってとじられた状態で箱形状が保持される構造とすることができる。
【００１９】
さらに、前面３板及び両側板２の外側は、可撓性があり、かつ透明なビニールなどからなるカバーシート１６で覆われている。カバーシート１６の両端部は一方の側板２の後端縁内側と、背面板４に超音波または高周波ウエルダー容着１７により接合されており、パッケージ１をとじた状態ではカバーシート１６は緊張状態でパッケージ１の表面に密着し、また開いた状態ではその可撓性に応じて表面から離れるようになっている。
【００２０】
以上のパッケージ１をソフト展示用とする場合には、まず図３に示すごとく、パッケージ１の展開状態で商品展示用のラベルシート１８をカバーシート１６とパッケージ１間に差込み、次いでパッケージ１を閉じることで、カバーシート１６がラベルシート８を挟持固定し、商品展示用として完成する。
【００２１】
ラベルシート１８は、表紙１８ａ、背表紙１８ｂ、裏表紙１８ｃとからなっており、一般的には図示のごとく、表紙１８ａ及び背表紙１８ｂにはそのソフトのタイトルや、主人公キャラクタや物語の一場面、配給会社などが印刷され、また、裏表紙１８ｃにはソフト内容の簡単な解説文、その他が印刷される。但し、そのデザイン、配置はソフト内容や配給会社に応じて実に多様であり、要は陳列状態で背表紙１８ｂに表示されている内容が利用者にとって目立ち、また利用者がパッケージ１を手にとって表裏を見ることで、ソフト内容を十分に確認できるような魅力的デザイン、配置とすればよいことは言うまでもない。
【００２２】
その後、図４に示すごとく、パッケージ１内の両収納部７，９にＶＨＳ６、ＤＶＤ８が収容され、その上部のみをパッケージ１から突出させた状態で陳列展示される。
【００２３】
なお、レンタル用のＶＨＳ６の背面には、タイトルなどを印刷したシール６ａを貼着しているとともに、上端または上下端に目印６ｂを設けることで、ＶＨＳの存在を確認しやすいようにしている。また、利用者が携帯するためのごく薄い透明ケースにＶＨＳ６を格納しておき、この透明ケースの上下端に目印を設ける場合もある。
【００２４】
これに対し、レンタル用のＤＶＤ８の本体は透明ケース８ａに収容されているとともに、ＤＶＤ８の本体にそのタイトルなどが直接印刷されいるほか、透明ケース８ａの上端部などに目印８ｂを設けている。
【００２５】
図５は、以上のパッケージ１を陳列棚などに展示陳列した状態を示し、背表紙１８ｂを利用者側に向けて陳列している。
【００２６】
なお、一般にレンタルビデオ店においてはそのソフト人気度合（レンタル数の多寡）に応じて同一ソフトの陳列数を決めており、図においては同一ソフト数は４つあるとしている。そして、利用者は、当該パッケージ１における背表紙１８ｂの上部を見ることで、既に両方とも貸出されたか、ＶＨＳ６のみが残っているか、ＤＶＤ８のみ残っているか、あるいは両方とも残っているかが一目瞭然である。
【００２７】
図６は、本発明の他の実施形態を示す。本実施形態では、パッケージ１の上部開口を透明な矩形状のカバーキャップ２０で着脱可能に覆っているほかは、前記実施形態と同様であり、このようにすることで、ＶＨＳ、ＤＶＤに対する視認性を確保すると同時に、埃などがＶＨＳ６やＤＶＤ８に付着することを防止できる。なお、本実施形態では、キャップ２０の下部に引手となる切欠２０ａを形成しているが、ヒンジ開閉方式としてもよい。
【００２８】
また、各実施形態では、パッケージ１をプラスチック成形体によって構成したが、硬質紙、または硬質紙の表面をビニールシートなどの表皮材で覆ったものなどにより製箱することも可能であることはもちろんである。
【００２９】
【発明の効果】
以上各実施形態で説明したように本発明に係るソフト展示用パッケージにあっては、ビデオカセットテープとＤＶＤとを一括陳列でき、これによって、陳列スペースを省スペース化し、展示パッケージの作成費用や印刷費用の低減を図るとともに、利用者にとっては検索しやすいものとなるなどの各種利点がある。
【図面の簡単な説明】
【図１】本発明に係るソフト展示用パッケージの正断面、側断面、及び平断面図である。
【図２】同パッケージの展開状態の内部構造を示す斜視図である。
【図３】同パッケージに対する展示用ラベルシートの取付状態を示す斜視図である。
【図４】同パッケージにビデオカセットテープ並びにＤＶＤを収納する状態を示す説明図である。
【図５】同パッケージの陳列状態を示す斜視図である。
【図６】本発明の他の実施形態を示す斜視図である。
【符号の説明】
１　ソフト展示用パッケージ
２　側板
３　前面板
４　背面板
５　隔壁
６　ＶＨＳビデオカセットテープ
７　ＶＨＳ収納部
８　ＤＶＤ
９　ＤＶＤ収納部
１０　底板
１１　ＶＨＳ背面板
１２　薄肉ヒンジ
１５　棚状底板
１６　シートカバー
１８　展示用ラベルシート
２０　カバーキャップ
【図１】
2004001779.tif 000003
【図２】
2004001779.tif 000004
【図３】
2004001779.tif 000005
【図４】
2004001779.tif 000006
【図５】
2004001779.tif 000007
【図６】
2004001779.tif 000008